(57)【特許請求の範囲】
【請求項１】
躯体に、上部水平片及び下部水平片に貫通孔がそれぞれ設けられた断面Ｃ字形の釣木受が接合され、
該上部水平片及び下部水平片の貫通孔に、上端にフランジが形成された釣木が挿通されることにより、該釣木が前記上部水平片に係止され且つ上下動可能な状態で前記釣木受に吊下げられ、
該釣木の下端部に、貫通孔が設けられた上部水平片と、該上部水平片の一側端縁から下方へ伸びる垂下片と、該垂下片の下端縁から伸びる下部水平片と、該下部水平片の側端縁から上方へ伸びる下部垂直片とを有してなる吊金具が、該上部水平片に釣木の下端部が挿通されることにより吊下げられ、
該吊金具の垂下片、下部水平片、及び下部垂直片により形成される溝部内に、野縁受が保持され、
該野縁受の下面に野縁が接合され、
該野縁に天井パネルが取付けられてなることを特徴とする天井パネルの吊下げ構造。
【請求項２】
前記釣木の下端部にフランジが形成され、該フランジに前記吊金具の上部水平片が上下動可能に係止されたことを特徴とする請求項１記載の天井パネルの吊下げ構造。
【発明の詳細な説明】
【０００１】
【発明の属する技術分野】
この発明は、天井パネルを建物の構造躯体に吊下げる構造に関する。
【０００２】
【従来の技術】
従来、建物の天井においては、仕上げ材である石膏ボード等の天井パネルを、例えば図１３に示すような構造にて吊下げることが行われている。同図においては、上階の床パネル（図示せず）を支持する梁（躯体）５に吊木受１１０Ｃが接合され、吊木１０Ｃの上端が該吊木受１１０Ｃに、下端が野縁受２１０Ｃを介して野縁２０Ｃにそれぞれ締結されており、これにより、天井パネル６が吊下げられている。
【０００３】
上記のような従来の天井パネルの吊下げ構造においては、上階の床上での居住者の動作等により生じた振動が、上記梁５から天井パネル４までの一連の部材を通じて伝達されやすく、したがって上階の床に生じた揺れや音（特に、居住者の跳びはね等により生じる重量床衝撃音）が下階に伝わりやすいという問題がある。
【０００４】
そこで、上記梁５から天井パネル６までの一連の部材のうちのいずれかの部材を、ゴム、バネ等の弾性体で構成するか、あるいは、一連の部材中に弾性体よりなる別の適宜な部材を介在させることが提案されている。この方法は、上階床からの振動を弾性体に吸収させることで、振動の伝達を低減しようとするものである。
【０００５】
【発明が解決しようとする課題】
しかしながら、上記のような方法によれば、上階からの振動を弾性体により若干弱くすることはできるものの、この振動が弾性体を通じてある程度下階に伝わることは避けられず、したがって、振動の伝達が十分に低減されるとはいい難いのが実情である。
【０００６】
この発明は、以上のような問題点に鑑みてなされたものであり、上階の床から下階の天井への振動の伝達を十分に低減することのできる天井パネルの吊下げ構造を提供することを目的とする。
【０００７】
上記目的を達成するためになされたこの発明の天井パネルの吊下げ構造は、躯体に、上部水平片及び下部水平片に貫通孔がそれぞれ設けられた断面Ｃ字形の釣木受が接合され、該上部水平片及び下部水平片の貫通孔に、上端にフランジが形成された釣木が挿通されることにより、該釣木が前記上部水平片に係止され且つ上下動可能な状態で前記釣木受に吊下げられ、該釣木の下端部に、貫通孔が設けられた上部水平片と、該上部水平片の一側端縁から下方へ伸びる垂下片と、該垂下片の下端縁から伸びる下部水平片と、該下部水平片の側端縁から上方へ伸びる下部垂直片とを有してなる吊金具が、該上部水平片に釣木の下端部が挿通されることにより吊下げられ、該吊金具の垂下片、下部水平片、及び下部垂直片により形成される溝部内に、野縁受が保持され、該野縁受の下面に野縁が接合され、該野縁に天井パネルが取付けられてなることを特徴とするものである。
また、前記釣木の下端部にフランジが形成され、該フランジに前記吊金具の上部水平片が上下動可能に係止されたことを特徴とするものである。
【０００８】
【発明の実施の形態】
図１は、この発明の天井パネルの吊下げ構造の一実施形態を示す概略断面図である。同図においては、梁（躯体）５の下部に釣木受１１が接合され、該釣木受１１に、釣木１の上端が係止されている。釣木１の下端は、吊金具１２を介して野縁受２１に取付けられている。
【０００９】
釣木受１１は、Ｃ字形の断面形状を有する鋼製部材となっており、その下部水平片１１ａの端縁近傍部分が、Ｈ形鋼よりなる梁５の下部フランジ５ｂの上面に重合されボルトにより締結されている。
【００１０】
上記釣木受１１の下部水平片１１ａおよび上部水平片１１ｂのほぼ中央部には、貫通孔１１ｃがそれぞれ設けられており、該貫通孔１１ｃに釣木１が挿通されている。
【００１１】
釣木１は、丸鋼よりなり、その上端には、フランジ１ａが形成されている。該フランジ１ａは、鋼製のプレートであり、釣木１の上端に溶接により接合されている。このフランジ１ａが前記釣木受１１の上部水平片１１ｂ上に係止されることにより、釣木１が釣木受１１に吊り下げられる。
【００１２】
このとき、該フランジ１ａは、釣木受１１の上部水平片１１ｂの上面に、固定せずに載置するのみとしておくようにする。これにより、釣木１が釣木受１１に対して上下動可能（したがって釣木１が梁５に対して上下動可能）となり、この部位における振動の伝達が低減される。即ち、図２に示すように、例えば上階の床パネル４に直下方向への衝撃Ｓが加わった場合、これにともなって、図中に矢印で示すような直下方向への揺れが、床パネル４から梁５を経て釣木受１１へ伝わるが、釣木１は、釣木受１１に固定されていないため、釣木受１１に生じた揺れにともなって直下方向へ揺動することはない。したがって、上階の床からの振動は釣木１へは伝達され難い。
【００１３】
フランジ１ａと釣木受１１の上部水平片１１ｂとの間には、ゴム、バネ等の弾性体１３を介在させるようにしている。これにより、前記のように揺動した釣木受１１の上部水平片１１ｂがフランジ１ａに再度接触することによる振動や音の発生を低減できるようになっている。
【００１４】
吊金具１２は、図１に示すように、上部水平片１２ａと、該上部水平片１２ａの一側端縁から下方へ延びる垂下片１２ｂと、該垂下片１２ｂの下端縁から延びる下部水平片１２ｃと、該下部水平片１２ｃの側端縁から上方へ延びる下部垂直片１２ｄとを有している。
【００１５】
上記吊金具１２の上部水平片１２ａのほぼ中央部には貫通孔が設けられており、該貫通孔に釣木１の下端部が挿通される。釣木１の下端部には雄ねじ部が形成されており、この雄ねじ部に嵌挿された上下のナットにより、上記吊金具１２の上部水平片１２ａが挟持され、これにより該吊金具１２が釣木１の下端部に吊り下げられる。この構成により、吊金具１２の上下位置を調整することができる。
【００１６】
上記吊金具１２の垂下片１２ｂ、下部水平片１２ｃおよび下部垂直片１２ｄにより形成される溝部内には、野縁受２１が保持され、上記吊金具１２の垂下片１２ｂおよび下部垂直片１２ｄに挿通されたピン１２１により、該野縁受２１が吊金具１２の溝部内に係止されるようになっている。この構成により、吊金具１２の位置を野縁受２１の長さ方向に沿って調整することができる。
【００１７】
野縁受２１は、溝形鋼よりなり、その下面には野縁２が接合されている。さらに、野縁２には天井パネル６が取付けられている。以上の構成により、天井パネル６が梁５に吊り下げられている。前記したように、上階の床に生じた振動は、釣木受１１と釣木１との間で伝達され難くなっているため、天井パネル６へも伝達され難い。したがって、上階から下階への振動や音の伝達が低減される。
【００１８】
上記実施形態においては、釣木１が梁５に対して上下動可能となる構造となっているが、釣木１が天井パネル６に対して上下動可能となる構造としてもよく、さらに、これらの構造を組合わせた構造としてもよい。また、上記と同様の構造は、躯体と天井パネルとの間であれば、釣木１以外の部位に適用することもできる。
【００１９】
図３は、この発明の天井パネルの吊下げ構造の他の実施形態を示す概略断面図である。同図においては、釣木１０の下端部の構成および取付構造以外は、前記図１に示す例と同様であるためその説明は省略する。
【００２０】
釣木１０の下端部には、フランジ１０ａが形成されている。吊金具１２０の上部水平片１２０ａには貫通孔が設けられており、該貫通孔に釣木１０が挿通され、該吊金具１２０の上部水平片１２０ａが釣木１０のフランジ１０ａに係止される。吊金具１２０の上部水平片１２０ａは、釣木１０のフランジ１０ａの上に固定せずに載置されている。これにより、吊金具１２０が釣木１０に対して上下動可能（したがって釣木１０が天井パネル６に対し上下動可能）となっており、この部位における振動の伝達が低減される。なお、吊金具１２０の上部水平片１２０ａと釣木１０のフランジ１０ａとの間には、弾性体１３０をを介在させるようにしている。
【００２１】
図４は、床パネルの取付構造の一例を示す断面図である。同図においては、隣接する床パネル４の対向する側面に、係止金具７の両端がそれぞれ嵌入されている。
【００２２】
係止金具７は、隣接する床パネル４がそれぞれ個別に上下方向に揺動しないように係止するためのものである。床パネル４は、通常、図５に示すように、複数の床パネル４を梁５に沿って幅方向に並置し、各床パネル４の両端部をそれぞれ梁５上に接合するようにしているが、従来は、隣接する床パネル４どうしを係止することは考慮されていなかった。このため、隣接する床パネル４がそれぞれ個別に上下方向に揺動し得るため、床上の居住者の動作等により振動が生じやすくなっていた。ここで、上記のように隣接する床パネル４を互いに係止すると、各床パネル４がそれぞれ個別に揺動することを抑制することができるので、振動の発生を軽減することができる。
【００２３】
係止金具７は、図６に示すように、両端方向に突起する突起部７１を有する鋼製の金具となっている。突起部７１は、それぞれ、先端にむかって漸次先鋭となる錐体状に形成されている。
【００２４】
突起部７１の外周面には、該突起部７１が床パネル４に容易に嵌入されるとともに、床パネル４に安定して保持されるように、適宜溝、凹凸等を設けるようにしてもよい。
【００２５】
係止金具７は、例えば図７に示すようにして床パネル４に嵌入させることができる。まず図７（ａ）に示すように、１枚目の床パネル４ａを梁５上に取付けた後、該床パネル４ａの長手方向に沿った側面（次の床パネル４ｂに対向する側面）に、係止金具７の一方の突起部７１ａを嵌入させる。この作業においては、図中に矢印Ａ１で示すように、係止金具７の他方の突起部７１ｂをハンマで打ちつけるようにすればよい。このため、突起部７１ａ、７１ｂには、図６に示すように、この打ちつけ作業が行いやすいよう、先端部を欠落させて平面部７１２を予め形成するようにしている。
【００２６】
床パネル４ａの側面には、予め先穴を設けておくようにしてもよいが、例えば床パネル４がＡＬＣ（ａｕｔｏｃｌａｖｅｄ  ｌｉｇｈｔ  ｗｅｉｇｈｔ  ｃｏｎｃｒｅｔｅ）よりなるものである場合には、先穴等を設けておかなくてもハンマで打ちつけることにより容易に係止金具７を床パネル４に嵌入させることができる。
【００２７】
係止金具７を配設する間隔等は、床パネル４のサイズ等に応じて適宜決定すればよい。例えば、２０００ｍｍ×５００ｍｍの床パネル４の場合、係止金具７は５００ｍｍ程度の間隔で配設することが考えられる。
【００２８】
ついで、図７（ｂ）に示すように、上記係止金具７を嵌入させた床パネル４ａの側面に沿って、次の床パネル４ｂを配置し、上記係止金具７の露出した突起部７１ｂを該次の床パネル４ｂの一方の側面に嵌入させながら、前記１枚目の床パネル４ａの側面に該次の床パネル４ｂの当該側面を当接（または近接）させる。このとき、図中に矢印Ａ２で示すように、該次の床パネル４ｂの他方の側面から、適宜手段（例えば適当な保護板を介在させてハンマで打ちつける等）により、該床パネル４ｂを前記１枚目の床パネル４ａの方へ打ちつけることによって、前記係止金具７の露出した突起部７１ｂを該床パネル４ｂに嵌入させることができる。
【００２９】
ついで、上記床パネル４ｂを梁５に固定し、この後は以上と同様の行程を繰り返し行うことにより、複数の床パネル４を梁５に取付けていくようにする。
【００３０】
係止金具としては、隣接する床パネルを係止し得るものであれば、上記のようなものに限定されるものではない。図８は、係止金具の他の例を示す側面図である。同図に示す係止金具７０は、プレート７０３の両面に、錐状の突起部７０１がそれぞれ突設された構成となっている。このように、突起部７０１の形状をより先鋭とすることにより、該係止金具７０をより容易に床パネルに嵌入させることができる。なお突起部７０１をプレート７０３の両面にそれぞれ複数個ずつ突設する等の変更も可能である。
【００３１】
上記係止金具７０を床パネルに嵌入させる作業は、図８に示すような嵌着金具７０４を用いることにより、容易に行うことができる。上記嵌着金具７０４は、筒状体７０４ａの一方端に平面部７０４ｂが形成された構成となっており、前記係止金具７０の一方の突起部７０１の長さよりも奥行が大きい内腔７０４ｃが内部に形成されている。なお上記筒状体７０４ａにかえて、例えば複数の脚を設ける等の変更も可能である。
【００３２】
上記係止金具７０を床パネルに嵌入させる際には、一方の突起部７０１を覆うようにして嵌着金具７０４を係止金具７０に嵌着し、該嵌着金具７０４の平面部７０４ｂをハンマで打ちつけるようにする。これにより、他方の突起部７０１を床パネルに嵌入させることができる。この後、嵌着金具７０４を取り外し、前記図７（ｂ）に示す方法と同様にして、露出した突起部７０１を次の床パネルに嵌入させる。
【００３３】
図９は、天井パネルの取付構造の一例を示す部分平面図であり、図１０は図９のｘ−ｘ部における断面図である。図９及び１０においては、複数の天井パネル６のうち、その長さ方向に隣接する天井パネル６（縦の列をなす複数の天井パネル６）が、上記長さ方向にのみ配設された野縁２０により支持されている。該野縁２０は、幅方向に隣接する天井パネル６（隣の列の天井パネル６）をそれぞれ別個に支持している。これにより、上記長さ方向に隣接する天井パネル６が、幅方向に隣接する天井パネル６から独立した状態で別個に支持される構成となっている。
【００３４】
天井パネル６は、図９に示すように、各天井パネル６の長さ方向の側縁を揃えるようにして配置されている。このとき、各天井パネル６は、幅方向に隣接する他の天井パネル６と当接させるようにしてもよいが、図１０に示すように、幅方向に隣接する他の天井パネル６との間に若干間隙をおいて配設するようにしてもよい。
【００３５】
野縁２０は、溝形鋼よりなり、各天井パネル６の長さ方向の両側縁のやや内側にそれぞれ取付けられている。上記野縁２０のそれぞれは、図１０に示すように、釣木３１および釣木受３１１を介して梁５に個々に吊り下げられている。
【００３６】
ここで、野縁２０は、幅方向に隣接する天井パネル６のそれぞれに別個に取付けられており、さらに、天井パネル６の幅方向には配設されていない。これにより、長さ方向に隣接する天井パネル６（縦の列をなす複数の天井パネル６）は、幅方向に隣接する他の天井パネル６から独立した状態で別個に支持されている。
【００３７】
従来は、例えば図１１及び１２に示すように、通常、複数の天井パネル６を、その長さ方向および幅方向に配設した野縁２００に取付け、さらにこの野縁２００を吊木（図示せず）等を介して梁（図示せず）に吊下げるようにしていた。この構造では、天井パネル６の隣接部は１本の野縁２００で支持され、さらに、野縁２００は格子状に構成されていることから、複数の天井パネル６が一体的に支持されるようになっており、したがって、複数の天井パネル６の全体が上下に振動するため、低音が出やすくなっていた。
【００３８】
これに対し、前記図９及び１０に示す例のように、一部の天井パネル６を他の天井パネル６から独立した状態で別個に支持するようにすると、天井パネル６が全体で振動せずにその一部が個々に振動するようになり、したがって、低音の伝達が抑制される。このとき、高音の伝達は逆に増大することが考えられるが、高音は床パネルの部分で遮音し、かつ床パネルと天井パネル６との間に吸音材を挿入することにより、騒音として感じられる音量は全体として低減することができる。
【００３９】
野縁２０は、天井パネル６の幅方向にのみ設けるようにしてもよいが、上記のように天井パネル６の長さ方向にのみ設けると、１組の野縁２により支持される天井パネル６（縦の列をなす天井パネル６）の数を少なくすることができるため、低音の伝達を抑制する上では望ましい。さらに、野縁２０を長さ方向に複数に分割して個々に支持する等の方法によって、縦の列をなす天井パネル６のうちの一部の天井パネル６を、他の天井パネル６から独立した状態で別個に支持するようにすると、低音の伝達をさらに効果的に抑制することができる。
【００４０】
以上に例示した天井パネルの吊下げ構造、床パネルの取付構造ならびに天井パネルの取付構造は、それぞれ単独で、あるいはこれらのうちの２つ以上を組み合わせて適用することができ、これにより、上階から下階への振動の伝達を効果的に低減することができる。
【００４１】
【発明の効果】
以上のように、この発明の天井パネルの吊下げ構造によれば、躯体に、上部水平片及び下部水平片に貫通孔がそれぞれ設けられた断面Ｃ字形の釣木受が接合され、該上部水平片及び下部水平片の貫通孔に、上端にフランジが形成された釣木が挿通されることにより、該釣木が前記上部水平片に係止され且つ上下動可能な状態で前記釣木受に吊下げられ、該釣木の下端部に、貫通孔が設けられた上部水平片と、該上部水平片の一側端縁から下方へ伸びる垂下片と、該垂下片の下端縁から伸びる下部水平片と、該下部水平片の側端縁から上方へ伸びる下部垂直片とを有してなる吊金具が、該上部水平片に釣木の下端部が挿通されることにより吊下げられ、該吊金具の垂下片、下部水平片、及び下部垂直片により形成される溝部内に、野縁受が保持され、該野縁受の下面に野縁が接合され、該野縁に天井パネルが取付けられるようにしたので、上階の床に生じた振動や音（重量床衝撃音等）を下階に伝わり難くすることができる。
【図面の簡単な説明】
【図１】実施形態に係る天井パネルの吊下げ構造を示す断面図。
【図２】図１の天井パネルの吊下げ構造の作用を示す模式図。
【図３】他の実施形態に係る天井パネルの吊下げ構造を示す断面図。
【図４】床パネルの取付構造の一例を示す断面図。
【図５】従来の床パネルの取付構造の一例を示す斜視図。
【図６】図４の係止金具を示す斜視図。
【図７】床パネルの取付手順の一例を示す模式図。
【図８】係止金具の他の例を示す側面図。
【図９】天井パネルの取付構造の一例を示す部分平面図。
【図１０】図９のｘ−ｘ部における断面図。
【図１１】従来の天井パネルの取付構造の一例を示す上面図。
【図１２】図１１のｉｉｉ−ｉｉｉ  部における断面図。
【図１３】従来の天井パネルの吊下げ構造の一例を示す断面図。
【符号の説明】
１  釣木
１１  釣木受
１２  吊金具
５  梁（躯体）
６  天井パネル
【図１】
0003558192.tif 000002
【図２】
0003558192.tif 000003
【図３】
0003558192.tif 000004
【図４】
0003558192.tif 000005
【図５】
0003558192.tif 000006
【図６】
0003558192.tif 000007
【図７】
0003558192.tif 000008
【図８】
0003558192.tif 000009
【図９】
0003558192.tif 000010
【図１０】
0003558192.tif 000011
【図１１】
0003558192.tif 000012
【図１２】
0003558192.tif 000013
【図１３】
0003558192.tif 000014